(57)【要約】【課題】  撮影記録中のズーム操作において、ズーム操作手段の操作前に、その誤操作を低減する撮像装置を提供することにある。【解決手段】  記録開始時及び記録中に表示装置の画面表示にズーム操作ボタンと略同じ形状と方向に合わせた形状表示と変化方向のキャラクタパターンを表示し、操作方向とズーム方向を表示させる。そうすることにより、ユーザが、ズーム操作レバーの動作方向と、ズーム機能の変化方向が、ズーム操作手段の操作前に、視覚的、直感的に認識することができ、誤操作を低減することができる。【選択図】  図２
2005229145.tif 000002
【特許請求の範囲】
【請求項１】
撮像装置において、
ズーム手段と、
前記ズーム手段を操作するズーム操作手段と、
前記撮像装置により撮像される画像及び前記撮像装置の各種メニューを表示する表示手段と、
を、有し、
前記ズーム操作手段の形状及び前記ズーム手段の変化方向を前記表示手段に表示することを特徴とする撮像装置。
【請求項２】
請求項１に記載の撮像装置において、
前記撮像装置により撮像される画像を記録する記録手段と、
前記記録手段による記録開始を指示する記録開始指示手段と、
を、有し、
前記記録開始指示手段が操作されることにより、前記ズーム操作手段の形状及び前記ズーム手段の変化方向を前記表示手段に表示することを特徴とする撮像装置。
【請求項３】
請求項１乃至２に記載の撮像装置において、
前記ズーム操作手段の形状及び前記ズーム手段の変化方向を前記表示手段に表示する際には、前記撮像装置により撮像される画像が透けて見える状態で表示することを特徴とする撮像装置。
【請求項４】
請求項１乃至３に記載の撮像装置において、前記ズーム操作手段の形状及び前記ズーム手段の変化方向の表示を消去できる表示オフ手段を備えたことを特徴とする撮像装置。
【請求項５】
撮像装置において、
ズーム手段と、
前記ズーム手段を操作するズーム操作手段と、
前記撮像装置により撮像される画像及び前記撮像装置の各種メニューを表示する表示手段と、
を、有し、
前記ズーム操作手段の動作方向及び前記ズーム操作手段の動作に基づく前記ズーム手段の変化方向を前記表示手段に表示することを特徴とする撮像装置。
【請求項６】
請求項５に記載の撮像装置において、
前記撮像装置により撮像される画像を記録する記録手段と、
前記記録手段による記録開始を指示する記録開始指示手段と、
を、有し、
前記記録開始指示手段が操作されることにより、前記ズーム操作手段の動作方向及び前記ズーム操作手段の動作に基づく前記ズーム手段の変化方向を前記表示手段に表示することを特徴とする撮像装置。
【請求項７】
請求項５乃至６に記載の撮像装置において、
前記ズーム操作手段の動作方向及び前記ズーム操作手段の動作に基づく前記ズーム手段の変化方向を前記表示手段に表示する際には、前記撮像装置により撮像される画像が透けて見える状態で表示することを特徴とする撮像装置。
【請求項８】
請求項５乃至７に記載の撮像装置において、前記ズーム操作手段の動作方向及び前記ズーム操作手段の動作に基づく前記ズーム手段の変化方向の表示を消去できる表示オフ手段を備えたことを特徴とする撮像装置。
【請求項９】
撮像装置において、
ズーム手段と、
前記撮像装置により撮像される画像及び前記撮像装置の各種メニューを表示する表示手段と、
を、有し、
前記ズーム手段の操作方法を前記表示手段に表示することを特徴とする撮像装置。
【発明の詳細な説明】
【技術分野】
【０００１】
本発明は、ズーム機能を有する撮像装置の技術に関する。
【背景技術】
【０００２】
ビデオカメラをはじめとする撮像装置では、ズーム機能が必須であり、該ズーム機能のズーム倍率を表示手段に表示することが行なわれている。
【０００３】
しかし、上記従来技術のようにズーム倍率を表示手段に表示するだけでは、操作者は、ズーム操作後に実際の画角が変化してからでないと、ズーム機能が望遠方向へ進行しているのか、広角方向へ進行しているのかわからない。
【０００４】
従って、操作者が、ズーム操作を間違った方向に操作していることを認識するまでに時間を要するという問題があった。
【０００５】
このような問題を考慮した従来技術として、ズーム操作時に、ズーム機能が望遠方向へ進行しているか、広角方向へ進行しているか、その進行方向を表示手段に表示するものもある（例えば、特許文献１参照）。
【０００６】
【特許文献１】特開平５−１５３４５６号公報
【発明の開示】
【発明が解決しようとする課題】
【０００７】
ところで、近年のビデオカメラでは、ズーム倍率の変化がズーム操作手段の操作の仕方によっては、高速に変化する機能を備えており、ズーム操作後に短時間で大きく画角が変化すようになってきている。
【０００８】
また、ビデオカメラ本体の小型化に伴い、例えば、ズーム操作手段をビデオカメラ本体の側面に配するものもある。ズーム操作手段の操作方向とそれに基づくズーム手段の変化方向が異なるため、操作者が直感的に判別できないようなビデオカメラも出現してきている。
【０００９】
撮像記録時には、操作者はファインダや表示画面で撮像画像を見ているため、ズーム操作手段を見ることができず、ズーム手段の変化方向の操作を間違う可能性は大きい。
【００１０】
ここで、操作者が誤ってズーム手段を逆方向に操作した場合、操作者は、再び逆方向へズーム操作を行うことになる。しかし、撮像記録時にズーム操作を間違った方向に変化させた場合には、操作者が意図しない画像が記録されてしまうという問題があった。
【００１１】
さらには、操作者が、ズーム手段を再度逆方向へ操作する間に時間が経ち、重要なシーンを取り逃がすといった可能性もあった。
【００１２】
上記特許文献１記載の従来技術では、ズーム操作手段を操作時にズーム手段の変化方向を表示手段に表示するため、ズーム操作手段の操作前にはズーム手段の変化方向がわからず、操作者の誤操作を防止できないという可能性もある。
【００１３】
本発明は上記問題点に鑑み、その目的とするところは、ズーム操作手段の操作前に、その誤操作を低減する撮像装置を提供することにある。
【課題を解決するための手段】
【００１４】
上記課題を解決するため、本発明は、ズーム操作手段の形状とズーム手段の変化方向を表示手段に表示することとした。
【発明の効果】
【００１５】
本発明により、ズーム操作手段の誤操作を低減することができる。
【発明を実施するための最良の形態】
【００１６】
本発明によるビデオカメラの一実施例を図面を参照しながら説明する。
【００１７】
図１は、本発明の一実施形態を有するビデオカメラを左斜め後方から示した斜視図である。図１において、１はビデオカメラ本体、２はズーム操作を行うズーム操作レバー、３はビデオカメラ本体１の電源ボタン、４は撮像画像、再生画像及び各種情報が表示可能な表示装置、５は表示画面、６はビデオカメラ本体１の動作モードが記録モードにある場合に、記録手段（図示せず）が画像を記録する際の、記録の開始及び停止を行うための記録開始ボタン、７は再生及び編集に使用する操作ボタン部、８は撮像画像、再生画像及び各種情報を表示するファインダ、９はメニューボタン、１０はキャラクタ表示ＯＮ／ＯＦＦボタンである。
【００１８】
電源ボタン３は、ビデオカメラ本体１のすべてに供給される電源を司っている。表示装置４は表示画面５を支持する筐体部分、及び表示画面５を含む装置であり、ビデオカメラ本体１と開閉が可能な構造となっており、開かれた時に撮像される映像を表示する。また、閉じられている時にはファインダ８に撮像される映像の表示を行う。表示装置４の表示画面５には、記録に必要な様々な情報を操作者が判別し易いようにキャラクタにて表示する。また、表示装置４が閉じられている時には、同様のキャラクタをファインダ８に表示する。キャラクタはキャラクタ表示ＯＮ／ＯＦＦボタン１０により表示するか否かの選択が可能である。
【００１９】
ここで、操作者が電源ボタン３を押し、ビデオカメラ本体１を記録モードにした後、表示画面５及び／又はファインダ８を見ながら記録開始ボタン６を押すと、カメラ（図示せず）からの撮像映像を記録手段（図示せず）が記録開始するとともに、表示画面５及び／又はファインダ８にズーム操作レバー２の形状とズーム機能（光学ズーム及び／又はディジタルズームを含む）の変化方向とを表示する。つまり、ズーム操作手段の操作方法を表示する。このように、ズーム操作レバー２の形状とズーム機能の変化方向を、表示画面５及びまたはファインダ８に表示することで、操作者が視覚的、直感的にズーム操作レバー２の操作方向を判別できるため、ズーム操作レバー２の誤操作を防止することができる。なお、このズーム操作レバー２の形状とズーム機能の変化方向の表示は、記録開始ボタン６が押され、記録が行なわれている最中に表示しており、記録開始ボタン６が再び押され記録停止、又は、キャラクタ表示ＯＮ／ＯＦＦボタン１０による表示禁止操作により表示オフするようにしても構わない。
【００２０】
図２は、本発明の実施形態を有するビデオカメラにおける、表示装置４の表示画面５及び／又はファインダ８に表示される各種情報であるキャラクタを示した図であり、１１はズーム操作レバー２の形状とズーム機能の変化方向を示したキャラクタパターンである。このように、キャラクタパターンを実際のズーム操作レバー２の形状及びズーム機能の変化方向に合わせた表示（矢印及びＷ、Ｔ）とすることで、操作者は、ズーム操作レバー２を右に操作するとＴ方向、すなわちズーム機能が広角方向になることが、逆に、ズーム操作レバー２を左に操作するとＷ方向、すなわちズーム機能が望遠方向になることが視覚的、直感的に判別可能となり誤操作を防止できる。また、背景画像がズーム操作レバー２の形状とズーム機能の変化方向を示したキャラクタパターン１１の表示により隠れてしまうことを防止するため、背景画像が透けて見える半透明のキャラクタ状態にて表示する。これにより、操作者は、キャラクタパターン１１を表示画面５に表示していても、背景画像が認識できる。
【００２１】
図３は、本発明の実施形態を有するビデオカメラにおける、表示装置４の表示画面５及びまたはファインダ８にズーム操作レバーの形状と変化方向を示したキャラクタパターンを表示させる処理を示した図である。１２は映像信号出力処理部、１３はキャラクタパターン発生装置、１４は映像信号重畳処理部である。撮像された映像信号を表示装置４及びファインダ８に表示するため、映像信号出力処理部１２から映像信号が出力される。この出力された信号に、ズーム操作レバーのキャラクタパターンを発生するキャラクタパターン発生装置１３から出力された映像信号を映像信号重畳処理部１４にて映像信号を重畳させることにより表示装置４及びファインダ８に表示する。また、背景画像が透けて見える半透明のキャラクタを表示するときには、キャラクタパターン発生装置１３から映像信号の輝度を下げたキャラクタパターンを出力する。
【００２２】
図４は、本発明の実施形態を有するビデオカメラにおける、表示装置４の表示画面５及びまたはファインダ８にズーム操作レバーの形状と変化方向を示したキャラクタパターンを表示させる判定を行うフローチャートである。
【００２３】
ビデオカメラ１の内部にあるビデオカメラ制御部（図示せず）が、ズーム操作レバー２の形状とズーム機能の変化方向を示したキャラクタパターン（以下この段落において、ズーム操作レバー形状キャラクタ表示と記す）１１を、図４におけるフローチャートのズーム操作レバー形状キャラクタ表示判定処理に従い、表示判定処理を開始する。初めにビデオカメラ本体１の状態が記録開始、又は記録中か否かの判定をＳ２にて行う。ビデオカメラ本体１の状態が記録開始、又は記録中以外の状態の時には、ズーム操作レバー形状キャラクタ表示オフ処理のＳ６へ遷移する。ビデオカメラ本体１の状態が記録開始、又は記録中であれば、キャラクタ表示許可状態の判定をＳ３にて行う。キャラクタ表示許可は、キャラクタ表示ＯＮ／ＯＦＦボタン１０にて決定される。キャラクタ表示許可状態が、キャラクタ表示禁止の設定となっていれば、ズーム操作レバー形状キャラクタ表示オフ処理のＳ６へ遷移し、ズーム操作レバー形状キャラクタ表示行わない。キャラクタ表示許可状態が、キャラクタ表示許可の設定であれば、ズーム操作レバー形状表示許可の判定をＳ４にて行う。
【００２４】
ズーム操作レバー形状キャラクタ表示は、ビデオカメラ本体１の各種機能を選択し設定できるメニュー項目の一機能としてＯＮ／ＯＦＦ表示が選択可能となっている。メニューボタン９を押し、表示画面５及び／又はファインダ８にメニューを表示させた後、メニュー項目中のズームレバー形状表示項目を選択しＯＦＦ設定とした場合には、表示装置４の表示画面５及びまたはファインダ８にズーム操作レバー形状キャラクタ表示は表示されない。また、メニュー項目中のズームレバー形状表示項目を、ＯＮ設定とした場合は、ズーム操作レバー形状キャラクタ表示が、表示可能状態となる。メニュー操作によりズーム操作レバー形状表示が禁止設定となっていれば、ズーム操作レバー形状キャラクタ表示オフ処理Ｓ６へ遷移する。ズーム操作レバー形状表示許可であれば、ズーム操作レバー形状キャラクタ表示オン処理Ｓ５へ遷移し、図２に示すようにズーム操作レバー形状とズーム機能の変化方向を示したキャラクタパターン１１を表示する。これにより、ズーム操作手段の変化方向表示及び形状表示の表示が不要なときには表示をオフできる。
【００２５】
以上、本発明の一実施例について説明した。本実施例では、ズーム操作レバー形状とズーム機能の変化方向を示したキャラクタパターン１１は、ズーム操作レバーの形状とズーム機能の変化方向とを表示したが、ズーム機能の変化方向だけを表示してもよい。つまり、Ｔ、Ｗの方向の表示のみであってもよい。
【００２６】
本実施例では、ズーム操作レバーを左右方向に操作する場合の表示内容で説明したが、これに限ったものではなく、ズーム操作手段を表示するキャラクタの形状及び方向と、ズーム機能の変化方向とが対応していればよい。例えば、ズーム操作手段が２箇所の構成になっている場合には、２つの配置方向の形状とズーム機能の変化方向を表示するようにすればよい。また、操作方向が前後、斜め、上下方向等どの方向であっても構わない。
【００２７】
本実施例では、ビデオカメラで説明したが、これに限るものではなくズーム機能と表示手段を備える機器であれば構わない。つまり、デジタルスチルカメラ、携帯電話、携帯情報端末であっても構わない。
【００２８】
本実施例では、ズーム操作レバー形状とズーム機能の変化方向を示したキャラクタパターン１１の表示する場合を、撮像の記録開始時または記録中として説明したが、それに限るものではない。例えば、ビデオカメラの電源をＯＮとした際に、ズーム操作レバー形状とズーム機能の変化方向を示したキャラクタパターン１１を表示するようにしてもよいし、キャラクタ表示ボタン１０の操作で随意に表示するようにしてもよい。
【００２９】
本実施例では、キャラクタ表示ボタン１０またはメニューボタン９によりズーム操作レバー形状表示禁止と設定できることで説明したが、他の操作で表示禁止としても構わない。さらには、ズーム操作レバー形状表示禁止を設定不要としてもよい。
【図面の簡単な説明】
【００３０】
【図１】本発明の実施形態を有するビデオカメラを左斜め後方から示した斜視図
【図２】本発明の実施形態を有するビデオカメラにおける、表示装置の表示画面及び／またはファインダに表示される各種情報であるキャラクタを示した図
【図３】本発明の実施形態を有するビデオカメラにおける、表示装置の表示画面及び／またはファインダにズーム操作レバーの形状と変化方向を示したキャラクタパターンを表示させる処理を示した図
【図４】本発明の実施形態を有するビデオカメラにおける、表示装置の表示画面及びまたはファインダにズーム操作レバーの形状と変化方向を示したキャラクタパターンを表示させる判定を行うフローチャートを示した図。
【符号の説明】
【００３１】
１…ビデオカメラ本体、２…ズーム操作を行うズーム操作レバー、３…電源ボタン、４…表示装置、５…表示画面、６…記録開始ボタン、７…再生編集用操作ボタン部、８…ファインダ、９…メニューボタン、１０…キャラクタ表示ＯＮ／ＯＦＦボタン、１１…ズーム操作レバーの形状とズーム機能の変化方向を示したキャラクタパターン、１２…映像信号出力処理部、１３…キャラクタパターン発生装置、１４…映像信号重畳処理部
【図１】
2005229145.tif 000003
【図２】
2005229145.tif 000004
【図３】
2005229145.tif 000005
【図４】
2005229145.tif 000006